(57)【要約】【課題】本発明は、レンズ装置の大きさに応じて発光部を最適な位置に配置することができるストロボ装置を提供する。【解決手段】本発明のレンズ装置１０は、カメラ本体１２の上面に形成されたホットシュー１８に取り付けられる箱型の基部２０と、基部２０の側部に第１のヒンジ２１を介して傾動自在に連結された箱型の第１のストロボ本体部２２と、このストロボ本体部２２の上部に第２のヒンジ２３を介して連結された箱型の第２のストロボ本体部２４とから構成される。サイズの小さいレンズ装置１２をカメラ本体１４に装着した場合は、ストロボ本体部２２を基部２０に対して水平方向に倒伏させるとともに、ストロボ本体部２４をストロボ本体部２２に対して水平方向に倒伏させて放電管４０を被写体に向ける。一方でサイズの大きいレンズ装置１６をカメラ本体１４に装着した場合には、ストロボ本体部２２を起立させて放電管３４を被写体に向け、放電管３４のストロボ光がレンズ装置１６にケラレないようにする。【選択図】      図１
2006162761.tif 000002
【特許請求の範囲】
【請求項１】
カメラ本体に取り付けられるとともに複数の発光部を有し、各々の発光部が角度調整自在に設けられたことを特徴とするストロボ装置。
【請求項２】
カメラのストロボ取付部に取り付けられる基部と、
前記基部に角度調整自在に連結された第１の発光部と、
前記第１の発光部に角度調整自在に連結された第２の発光部とを有することを特徴とするストロボ装置。
【請求項３】
カメラのストロボ取付部に取り付けられる基部と、
前記基部に角度調整自在に連結された角度調整部材と、
前記角度調整部材に角度調整自在に連結された第１の発光部と、
前記角度調整部材に角度調整自在に連結された第２の発光部とを有することを特徴とするストロボ装置。
【請求項４】
前記第１の発光部と前記第２の発光部とは直交されていることを特徴とする請求項３に記載のストロボ装置。
【請求項５】
前記第１の発光部及び／又は第２の発光部を選択的に発光させる選択手段が設けられていることを特徴とする請求項２、３又は４のうちいずれか一つに記載のストロボ装置。
【請求項６】
通常撮影とバウンス撮影とを切り換える切換手段が設けられていることを特徴とする請求項１、２、３、４又は５のうちいずれか一つに記載のストロボ装置。
【発明の詳細な説明】
【技術分野】
【０００１】
本発明はカメラに取り付けられるストロボ装置に係り、特にレンズ交換式カメラのレンズ装置の大きさに応じて発光部を最適な位置に配置可能なストロボ装置に関する。
【背景技術】
【０００２】
特許文献１には、ストロボ装置が内蔵された一眼レフレックスカメラが開示されている。このカメラは、カメラ本体の上部に突出して配置されているファインダ光学系のペンタプリズムよりもストロボ装置を前方に配置されている。また、このストロボ装置は、ヒンジにより起伏可能なアームの先端に発光部が設けられ、使用時にアームを起立させて発光部をカメラ前方に向けて開成する。これにより、前記ペンタプリズムに起因するストロボ光のケラレを防止している。
【０００３】
また、カメラ本体の上部に設けられたホットシューを介してストロボ装置をカメラ本体に着脱自在に取り付け、カメラのシャッターの開閉に連動して発光部を発光させる外付けのストロボ装置も知られている。
【特許文献１】特開平１１−１８３９７３号公報
【発明の開示】
【発明が解決しようとする課題】
【０００４】
しかしながら、特許文献１のストロボ装置では、サイズの小さいレンズ装置から大きいレンズ装置にレンズ装置を交換した際に、その大きいレンズ装置によってストロボ光がケラレるという問題があった。この問題を解消するために特許文献１のカメラでは、ストロボ光がケラレない大型のストロボ装置をカメラ本体に別途取り付けなければならず、また、外付けのストロボ装置においては、ストロボ光がケラレない大型のストロボ装置に交換しなければならなかった。すなわち、従来のストロボ装置では、レンズ装置の大きさに応じた大きさのストロボ装置が必要になるという欠点があった。
【０００５】
本発明は、このような事情に鑑みてなされたもので、レンズ装置の大きさに応じて発光部を最適な位置に配置することができるストロボ装置を提供することを目的としている。
【課題を解決するための手段】
【０００６】
請求項１に記載の発明は、前記目的を達成するために、カメラ本体に取り付けられるとともに複数の発光部を有し、各々の発光部が角度調整自在に設けられたことを特徴としている。
【０００７】
請求項１に記載のストロボ装置は、複数の発光部を備え、これらの発光部が角度調整自在に設けられているので、これらの発光部のうちレンズ装置にストロボ光がケラレない位置にある発光部、又はその位置に所定の発光部を傾けて発光させることにより、レンズ装置の大きさに関係なく１台のストロボ装置で対応することができる。
【０００８】
請求項２に記載の発明は、前記目的を達成するために、カメラのストロボ取付部に取り付けられる基部と、前記基部に角度調整自在に連結された第１の発光部と、前記第１の発光部に角度調整自在に連結された第２の発光部とを有することを特徴としている。
【０００９】
請求項２に記載のストロボ装置は、第１の発光部及び第２の発光部を備えているので、これらの発光部のうちレンズ装置にストロボ光がケラレない位置にある発光部を発光させることにより、レンズ装置の大きさに関係なく１台のストロボ装置で対応することができる。また、第１の発光部は、基部に角度調整自在に設けられ、第２の発光部は、第１の発光部に角度調整自在に設けられているので、その発光部のストロボ光がケラレない位置に第１の発光部、第２の発光部を傾けて配置することができる。本発明の如く、第１の発光部及び第２の発光部を備えること、基部に第１の発光部を角度調整自在に設けるとともに第１の発光部に第２の発光部を角度調整自在に設けることにより、ストロボ光がケラレないための調整自由度が広がるので、レンズ装置の大きさに応じて発光部を最適な位置に配置することができる。第１及び第２の発光部の角度調整方向は、被写体に向いた方向でもよく、その方向に直交する方向でもよい。
【００１０】
請求項３に記載の発明は、カメラのストロボ取付部に取り付けられる基部と、前記基部に角度調整自在に連結された角度調整部材と、前記角度調整部材に角度調整自在に連結された第１の発光部と、前記角度調整部材に角度調整自在に連結された第２の発光部とを有することを特徴としている。
【００１１】
請求項３に記載のストロボ装置は、第１の発光部及び第２の発光部を備えているので、これらの発光部のうちレンズ装置にストロボ光がケラレない位置にある発光部を発光させることにより、レンズ装置の大きさに関係なく１台のストロボ装置で対応することができる。また、第１の発光部は、基部に対して角度調整自在な角度調整部材に角度調整自在に設けられ、第２の発光部は、前記角度調整部材に角度調整自在に設けられているので、その発光部のストロボ光がケラレない位置に第１の発光部、第２の発光部を傾けて配置することができる。本発明の如く、第１の発光部及び第２の発光部を備えること、角度調整部材に第１の発光部及び第２の発光部を角度調整自在に設けることにより、ストロボ光がケラレないための調整自由度が広がるので、レンズ装置の大きさに応じて発光部を最適な位置に配置することができる。
【００１２】
請求項４に記載の発明は、請求項３に記載の発明において、前記第１の発光部と前記第２の発光部とは直交されていることを特徴としている。
【００１３】
請求項４に記載のストロボ装置によれば、第１の発光部の傾動方向と第２の発光部の傾動方向とを直交させることにより、ストロボ光がケラレないための調整自由度が広がるので、第１の発光部及び／又は第２の発光部を最適な位置に配置することができる。
【００１４】
請求項５に記載の発明は、請求項２、３又は４のうちいずれか一つに記載の発明において、前記第１の発光部及び／又は第２の発光部を選択的に発光させる選択手段が設けられていることを特徴としている。
【００１５】
請求項５に記載のストロボ装置によれば、選択手段によって第１の発光部及び／又は第２の発光部を選択的に発光させることにより、すなわち、撮影の際に被写体に向いている第１の発光部又は第２の発光部を発光させることにより、電源の節電化を図ることができる。
【００１６】
請求項６に記載の発明は、請求項１、２、３、４又は５のうちいずれか一つに記載の発明において、通常撮影とバウンス撮影とを切り換える切換手段が設けられていることを特徴としている。
【００１７】
請求項６のストロボ装置によれば、通常撮影はもとよりバウンス撮影時における好適なストロボ光の照射を行うことができる。
【発明の効果】
【００１８】
以上説明したように本発明に係るストロボ装置によれば、複数の発光部を備え、これらの発光部を角度調整自在に設けたので、レンズ装置の大きさに応じて発光部を最適な位置に配置することができる。
【００１９】
また、本発明に係るストロボ装置によれば、基部に第１の発光部を角度調整自在に設けるとともに第１の発光部に第２の発光部を角度調整自在に設けたので、レンズ装置の大きさに応じて発光部を最適な位置に配置することができる。
【００２０】
更に、本発明に係るストロボ装置によれば、角度調整部材に第１の発光部及び第２の発光部を傾動自在に設けたので、レンズ装置の大きさに応じて発光部を最適な位置に配置することができる。
【発明を実施するための最良の形態】
【００２１】
以下添付図面に従って、本発明に係るストロボ装置の好ましい実施の形態について詳説する。
【００２２】
図１〜図５には、第１の実施の形態のストロボ装置１０がそれぞれ示されている。また、図１は、サイズの小さいレンズ装置１２が装着されたレンズ交換式カメラのカメラ本体１４にストロボ装置１０が取り付けられた際の使用形態を示す一部断面図であり、図２は、サイズの大きいレンズ装置が装着されたカメラ本体１４にストロボ装置１０が取り付けられた際の使用形態を示す一部断面図である。また、図３は、ストロボ装置１０の背面図である。
【００２３】
図１〜図３に示すようにストロボ装置１０は、カメラ本体１４の上面に形成されたホットシュー（ストロボ取付部）１８に取り付けられる箱型の基部２０と、基部２０の側部に第１のヒンジ２１を介して傾動自在（角度調整自在）に連結された箱型の第１のストロボ本体部２２と、このストロボ本体部２２の上部に第２のヒンジ２３を介して連結された箱型の第２のストロボ本体部２４とから構成されている。
【００２４】
図３の如く基部２０は、その下部にねじ棒２６が下方に向けて延設され、ねじ棒２６にはホットシュー１８に嵌合されるプレート２８と、プレート２８との間でホットシュー１８を挟圧保持するナット３０とが設けられている。プレート２８をホットシュー１８に嵌合させ、ナット３０によってホットシュー１８を挟圧保持することにより、ストロボ装置１０がカメラ本体１４に固定されるとともに、ホットシュー１８に設けられた接片（不図示）と基部２０側に設けられたシンクロ接点３２（図４参照）とが導通される。これにより、カメラ本体１４のシャッターの開動作に連動してシンクロ接点３２がＯＮになり、ストロボ本体部２２、２４の発光部が発光する。
【００２５】
ストロボ本体部２２は、図１、図２の如くヒンジ２１によって被写体方向に傾動自在となっており、また、ヒンジ２１とストロボ本体部２２との間に生じている回動抵抗によって、所望の傾斜角度で保持されている。なお、ヒンジ２１にクリック機構を設け、このクリック機構によってストロボ本体部２２を所望の傾斜角度で保持させてもよい。
【００２６】
ストロボ本体部２２には、第１の発光部である放電管３４が配置される。放電管３４は、図２の如くストロボ本体部２２を基部２０に対して垂直方向に起立させた姿勢において、被写体と対面する側面位置に配置されている。また、放電管３４の後方にはリフレクタ３６が配置されるとともに前方にはフレネルレンズ３８が配置されている。
【００２７】
一方、ストロボ本体部２２の上部には一対の支持片２２Ａ、２２Ａが突出形成され、この支持片２２Ａ、２２Ａに架け渡されたヒンジ２３にストロボ本体部２４が傾動自在に取り付けられている。ヒンジ２３は、ヒンジ２１に対し水平方向において平行に配置され、これによりストロボ本体部２４は、ヒンジ２３によって被写体方向に傾動自在となっている。また、ストロボ本体部２４は、ヒンジ２３とストロボ本体部２４との間に生じている回動抵抗によって、所望の傾斜角度で保持されている。なお、ヒンジ２３にクリック機構を設け、このクリック機構によってストロボ本体部２４を所望の傾斜角度で保持させてもよい。
【００２８】
ストロボ本体部２４には、第２の発光部である放電管４０が配置される。放電管４０は、図１の如くストロボ本体部２４をストロボ本体部２２に対して水平方向に倒伏させた姿勢において、被写体と対面する位置に位置される。また、放電管４０の後方にはリフレクタ４２が配置されるとともに前方にはフレネルレンズ４４が配置されている。
【００２９】
基部２０には、放電管３４、４０に電力を供給する充電式のバッテリ又は電池４６（図４参照）が装填されている。また、基部２０の背面には図３の如く、電源スイッチ４８、発光選択スイッチ（選択手段）５０、バウンス切換スイッチ（切換手段）５２、及びネオンランプ５４がそれぞれ所定の位置に配置されている。
【００３０】
図４に示すストロボ回路図によれば、電源スイッチ４８をＯＮにすると、電池４６から抵抗５６を介してメインコンデンサ５８に充電が開始され、規定の電圧まで充電されると、抵抗５９を介してネオンランプ５４が点灯する。また、この時、第１のトリガー回路６０のトリガーコンデンサ（不図示）及び第２のトリガー回路６２のトリガーコンデンサ（不図示）にもその容量に応じた電荷が充電される。
【００３１】
この充電状態において、カメラ本体１４のシャッターが切られると、シンクロ接点３２が閉じる。この時、発光選択スイッチ５０によって放電管３４が選択されている場合、トリガー制御部６４は、第１のトリガー回路６０のトリガーコンデンサに充填されていた電荷を第１のトリガー回路６０のトリガーコイル（不図示）に流し、トリガーコイルの二次側に高電圧を発生させる。この高電圧は、放電管３４の管壁に設けられたトリガー電極に加えられ、この結果、放電管３４内のクセノンガスが励起されて放電管３４内の抵抗が下がるので、メインコンデンサ５８に蓄えられた電荷による放電が放電管３４内で開始される。これにより、放電管３４が発光する。また、シンクロ接点３２が閉じた時に、発光選択スイッチ５０によって放電管４０が選択されている場合には、トリガー制御部６４は放電管４０が発光するように第２のトリガー回路６２を制御する。
【００３２】
一方、バウンス切換スイッチ５２がバウンス撮影側に切り換えられている場合、トリガー制御部６４は、バウンス切換スイッチ５２によるバウンス撮影を、発光選択スイッチ５０による選択よりも優先させてバウンス撮影を実行する。すなわち、トリガー制御部６４は、放電管３４、又は双方の放電管３４、４０を発光するように第１のトリガー回路６０、又は双方のトリガー回路６０、６２を制御する。
【００３３】
次に、前記の如く構成されたストロボ装置１０の作用について説明する。
【００３４】
まず、図１の如くサイズの小さいレンズ装置１２をカメラ本体１４に装着した場合は、ストロボ本体部２２を基部２０に対して水平方向に倒伏させるとともに、ストロボ本体部２４をストロボ本体部２２に対して水平方向に倒伏させて放電管４０を被写体に向ける。次に、電源スイッチ４８をＯＮにするとともに、発光選択スイッチ５０をＮｏ．２（放電管４０）側に設定する。なお、この時、バウンス切換スイッチ５２はＯＦＦ（通常撮影）側に予め切り換えておく。そして、ネオンランプ５４が点灯した後、カメラ本体１４のシャッターを切る。これにより、放電管４０のみが発光し、放電管４０のストロボ光がレンズ装置１２にケラレることなく被写体に照射される。
【００３５】
ところで、図２の如くサイズの大きいレンズ装置１６をカメラ本体１４に装着した場合であって、図１の倒伏位置にある放電管４０ではストロボ光がレンズ装置１６にケラレる場合には、ストロボ本体部２２を図２の如く起立させて放電管３４を被写体に向け、放電管３４のストロボ光がレンズ装置１６にケラレないようにする。次に、電源スイッチ４８をＯＮにするとともに、発光選択スイッチ５０をＮｏ．１（放電管３４）側に設定する。なお、この時、バウンス切換スイッチ５２はＯＦＦ側（通常撮影側）に予め切り換えておく。そして、ネオンランプ５４が点灯した後、カメラ本体１４のシャッターを切る。これにより、放電管３４のみが発光し、放電管３４のストロボ光がレンズ装置１６にケラレることなく被写体に照射される。
【００３６】
また、ストロボ本体部２４を図２の如く水平位置に倒伏させて放電管４０を被写体に向け、発光選択スイッチ５０をＮｏ．１．２（放電管３４、４０）側に設定し、ネオンランプ５４が点灯した後、カメラ本体１４のシャッターを切ると、双方の放電管３４、４０が同時に発光するので、ストロボ光の照射距離を伸ばすことができる。
【００３７】
一方、バウンス撮影を行う場合には、バウンス切換スイッチ５２をＯＮ（バウンス撮影）側に切り換える。そして、図５の如くストロボ本体部２４をストロボ本体部２２に対して被写体側に所定角度傾斜させ、ストロボ本体部２４の放電管４０を被写体の真上の天井に向ける。この後、シャッターを切ることにより放電管４０が発光し、天井によって反射されたストロボ光により被写体が照射されて撮影される。なお、バウンス撮影時に放電管３４を同時に発光させてもよい。
【００３８】
このように実施の形態のストロボ装置１０によれば、二つの放電管３４、４０を備えているので、放電管３４、４０のうちレンズ装置１２、１６にストロボ光がケラレない位置にある放電管３４、４０を発光させることにより、レンズ装置１２、１６の大きさに関係なく１台のストロボ装置１０で対応することができる。
【００３９】
また、ストロボ本体部２２は基部２０に傾動自在に設けられ、ストロボ本体部２４はストロボ本体部２２に傾動自在に設けられているので、その放電管３４、４０のストロボ光がケラレない位置にストロボ本体部２２、２４を傾けて配置することができる。以上の如く、二つの放電管３４、４０を備えること、基部２０にストロボ本体部２２を傾動自在に設けるとともにストロボ本体部２２にストロボ本体部２４を傾動自在に設けることにより、ストロボ光がケラレないための調整自由度が広がるので、レンズ交換式カメラのレンズ装置１２、１６の大きさに応じて放電管３４、４０を最適な位置に配置することができる。
【００４０】
また、ストロボ装置１０によれば、発光させる放電管３４、４０を選択するための発光選択スイッチ５０を備えているので、撮影の際に被写体に向いている放電管３４及び／又は放電管４０を発光させることができる。これにより、電池４６の節電化を図ることができる。
【００４１】
なお、図５に示したカメラ７０は、被写体像を撮影レンズを介して固体撮像素子に結像し、被写体像を電子データとして取得するデジタルカメラであり、符号７２はカメラ本体、符号７４はレンズ鏡胴、符号７６はフォーカスリング、符号７８は電子ビューファインダ、符号８０はスピーカ、符号８２はポップアップ式ストロボ、符号８４はストロボのポップアップボタンである。また、図６には、図５に示したデジタルカメラ７０の斜視図が示され、同図において符号８６は撮影レンズ、符号８８はシャッターボタン、符号９０は撮影モード選択ダイヤル、符号９２はコマンドダイヤルである。
【００４２】
図６〜図９には、第２の実施の形態に係るストロボ装置１００の様々な使用形態が示されている。
【００４３】
このストロボ装置１００は、図６の如くカメラ本体７２のホットシュー１８に取り付けられる基部１０２、基部１０２にピン１０３を介して傾動自在に連結された傾動部材１０４、傾動部材１０４に第１のヒンジ１０５を介して傾動自在に連結されるとともに第１の発光部である放電管１０６を備えた第１のストロボ本体部１０８、傾動部材１０４に第２のヒンジ１０９を介して傾動自在に連結されるとともに第２の発光部である放電管１１０を備えた第２のストロボ本体部１１２から構成されている。
【００４４】
傾動部材１０４は、第１の傾動部材１０４Ａと第２の傾動部材１０４Ｂとがヒンジ１０５を介して一体的に連結されて構成されている。傾動部材１０４Ａは、デジタルカメラ７０の撮影光軸７１と平行に配設されたピン１０３を介して基部１０２に傾動自在に連結されている。これにより、傾動部材１０４は、光軸７１に対して直交する方向に傾動され、ピン１０３と傾動部材１０４Ａとの間に生じている摩擦抵抗によって所定の傾斜角度でその傾斜姿勢が保持される。
【００４５】
ヒンジ１０５は撮影光軸７１に対して直交する方向に配設され、これにより、ストロボ本体部１０８が光軸７１に対して直交する方向に傾動される。また、ストロボ本体部１０８は、ヒンジ１０５とストロボ本体部１０８との間に生じている摩擦抵抗によって所定の傾斜角度でその傾斜姿勢が保持される。ストロボ本体部１０８の放電管１０６は、ストロボ本体部１０８の被写体に対面する側面に配設され、その後方にはリフレクタ１１４が設けられるとともにその前方にはフレネルレンズ１１６が配置されている。
【００４６】
一方、ヒンジ１０９はヒンジ１０５に対して直交する方向、且つ光軸７１に対して直交する方向に配設され、これにより、ストロボ本体部１１２が光軸７１に対して直交する方向に傾動される。また、ストロボ本体部１１２は、ヒンジ１０９とストロボ本体部１１２との間に生じている摩擦抵抗によって所定の傾斜角度でその傾斜姿勢が保持される。ストロボ本体部１１２の放電管１１０の後方にはリフレクタ１１８が設けられるとともにその前方にはフレネルレンズ１２０が配置されている。なお、基部１０２の背面にも、図３に示したストロボ装置１０の基部２０の如く電源スイッチ、発光選択スイッチ、バウンス切換スイッチ、及びネオンランプがそれぞれ所定の位置に配置されている。
【００４７】
次に、前記の如く構成されたストロボ装置１００の作用について説明する。
【００４８】
まず、図６の如くデジタルカメラ７０のレンズ鏡胴７４のサイズが小さい場合には、図６の如く傾動部材１０４を基部１０２に対して側方に倒伏させるとともに、ストロボ本体部１０８の放電管１０６及びストロボ本体部１１２の放電管１１０を被写体側にそれぞれ向ける。次に、ストロボ装置１００の電源スイッチをＯＮにするとともに、発光選択スイッチをＮｏ．１．２（放電管１０６、１１０）側に設定する。なお、この時、バウンス切換スイッチはＯＦＦ（通常撮影）側に予め切り換えておく。そして、ネオンランプが点灯すると、デジタルカメラ７０のシャッター８８を半押ししてピントを自動で合わせた後、シャッター８８を全押ししてシャッターを切る。これにより、放電管１０６、１１０が同時発光し、放電管１０６、１１０のストロボ光がレンズ鏡胴７４にケラレることなく被写体に照射される。
【００４９】
このストロボ姿勢でバウンス撮影を行う場合には、バウンス切換スイッチをＯＮ（バウンス撮影）側に切り換える。そして、図７の如くストロボ本体部１０８を傾動部材１０４に対して斜め上方に所定角度傾斜させ、ストロボ本体部１０８の放電管１０６を被写体の真上の天井に向ける。この後、シャッターを切ることにより放電管１０６が発光し、天井によって反射されたストロボ光により被写体が照射される。なお、バウンス撮影時に放電管１１０を同時に発光させてもよい。
【００５０】
次に、ストロボ光の照射距離を伸ばしたい場合、又はサイズの大きいレンズ鏡胴を有するデジタルカメラにストロボ装置１００を取り付けた場合には、図８の如く傾動部材１０４を基部１０２に対して垂直に起立させるとともに、ストロボ本体部１０８の放電管１０６及びストロボ本体部１１２の放電管１１０を被写体側にそれぞれ向ける。次に、ストロボ装置１００の電源スイッチをＯＮにするとともに、発光選択スイッチをＮｏ．１．２（放電管１０６、１１０）側に設定する。なお、この時、バウンス切換スイッチはＯＦＦ（通常撮影）側に予め切り換えておく。そして、ネオンランプが点灯すると、デジタルカメラ７０のシャッター８８を半押ししてピントを自動で合わせた後、シャッター８８を全押ししてシャッターを切る。これにより、放電管１０６、１１０が発光し、ストロボ光の照射距離が伸びるとともに、放電管１０６、１１０のストロボ光がレンズ鏡胴にケラレることなく被写体に照射される。
【００５１】
このストロボ姿勢でバウンス撮影を行う場合には、バウンス切換スイッチをＯＮ（バウンス撮影）側に切り換える。そして、図９の如くストロボ本体部１１２を傾動部材１０４に対して斜め上方に所定角度傾斜させ、ストロボ本体部１１２の放電管１１０を被写体の真上の天井に向ける。この後、シャッターを切ることにより放電管１１０が発光し、天井によって反射されたストロボ光により被写体が照射される。なお、バウンス撮影時に放電管１０６を同時に発光させてもよい。
【００５２】
このように第２の実施の形態のストロボ装置１００によれば、二つの放電管１０６、１１０を備えているので、これらの放電管１０６、１１０のうちレンズ鏡胴にストロボ光がケラレない位置にある発光部を発光させることにより、レンズ鏡胴の大きさに関係なく１台のストロボ装置で対応することができる。
【００５３】
また、ストロボ装置１０８は、基部１０２に傾動自在な傾動部材１０４に第１のヒンジ１０５を介して設けられ、第２のストロボ本体部１１２は、傾動部材１０４にヒンジ１０９を介して傾動自在に設けられているので、放電管１０６、１１０のストロボ光がケラレない位置にストロボ本体部１０８、１１２を傾けて配置することができる。したがって、ストロボ光がケラレないための調整自由度が広がるので、レンズ鏡胴の大きさに応じて放電管１０６、１１０を最適な位置に配置することができる。
【００５４】
更に、ストロボ装置１００では、ヒンジ１０５によるストロボ本体部１０８の傾動方向とヒンジ１０９によるストロボ本体部１１２の傾動方向とは直交されているので、ストロボ光がケラレないための調整自由度を更に広げることができ、放電管１０６、１１０を更に最適な位置に配置することができる。
【００５５】
上記説明では、第１及び第２の発光部を備えたストロボ装置について説明したが、本発明は、複数の発光部を有し、各々の発光部がカメラ本体に角度調整自在に設けられたことを技術思想としている。
【図面の簡単な説明】
【００５６】
【図１】サイズの小さいレンズ装置に対する使用形態を示す第１の実施の形態のストロボ装置の一部断面図
【図２】サイズの大きいレンズ装置に対する使用形態を示す第１の実施の形態のストロボ装置の一部断面図
【図３】図１に示したストロボ装置の背面図
【図４】図１に示したストロボ装置の回路図
【図５】バウンス撮影時のストロボ本体部の傾斜姿勢を示した側断面図
【図６】第２の実施の形態のストロボ装置の使用形態を示した斜視図
【図７】第２の実施の形態のストロボ装置の使用形態を示した斜視図
【図８】第２の実施の形態のストロボ装置の使用形態を示した斜視図
【図９】第２の実施の形態のストロボ装置の使用形態を示した斜視図
【符号の説明】
【００５７】
１０…ストロボ装置、１２…レンズ装置、１４…カメラ本体、１６…レンズ装置、２０…基部、２１、２３…ヒンジ、２２、２４…ストロボ本体部、３２…シンクロ接点、３４、４０…放電管、３６、４２…リフレクタ、３８、４４…フレネルレンズ、４６…電池、４８…電源スイッチ、５０…発光選択スイッチ、５２…バウンス切換スイッチ、５４…ネオンランプ、５８…メインコンデンサ、６０…第１のトリガー回路、６２…第２のトリガー回路、６４…トリガー制御部、７０…デジタルカメラ、１００…ストロボ装置、１０２…基部、１０３…ピン、１０４…傾動部材、１０５、１０９…ヒンジ、１０６、１１０…放電管、１０８、１１２…ストロボ本体部
【図１】
2006162761.tif 000003
【図２】
2006162761.tif 000004
【図３】
2006162761.tif 000005
【図４】
2006162761.tif 000006
【図５】
2006162761.tif 000007
【図６】
2006162761.tif 000008
【図７】
2006162761.tif 000009
【図８】
2006162761.tif 000010
【図９】
2006162761.tif 000011